(57)【要約】【課題】明るく、広角化が可能な撮像レンズおよび撮像装置を提供する。【解決手段】物体側より順に、負の屈折力を有する第１レンズと、正の屈折力を有する第２レンズと、負の屈折力を有する第３レンズと、正または負の屈折力を有する第４レンズと、正の屈折力を有する第５レンズと、負の屈折力を有する第６レンズとからなる。前記第６レンズの像側の面を、光軸との交点以外に少なくとも１つの変曲点を有する非球面形状とする。【選択図】図１
2014044250.tif 000002
【特許請求の範囲】
【請求項１】
物体側より順に、
負の屈折力を有する第１レンズと、
正の屈折力を有する第２レンズと、
負の屈折力を有する第３レンズと、
正または負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像レンズ。
【請求項２】
以下の条件式を満足する
請求項１に記載の撮像レンズ。
｜ν２−ν３｜＞２０  ……（１）
ただし、
ν２：前記第２レンズのアッべ数
ν３：前記第３レンズのアッべ数
とする。
【請求項３】
以下の条件式を満足する
請求項１に記載の撮像レンズ。
２．２＜｜ｆ１／ｆａ｜  ……（２）
ただし、
ｆａ：全系の焦点距離
ｆ１：前記第１レンズの焦点距離
とする。
【請求項４】
以下の条件式を満足する
請求項１に記載の撮像レンズ。
０．５＜｜ｆ２／ｆａ｜＜１．１  ……（３）
ただし、
ｆ２：前記第２レンズの焦点距離
とする。
【請求項５】
以下の条件式を満足する
請求項１に記載の撮像レンズ。
１．０＜｜ｆ３／ｆａ｜＜２．０  ……（４）
ただし、
ｆ３：前記第３レンズの焦点距離
とする。
【請求項６】
以下の条件式を満足する
請求項１に記載の撮像レンズ。
０．４＜｜ｆ345／ｆａ｜＜２．２  ……（５）
ただし、
ｆ345：前記第３レンズ、前記第４レンズおよび前記第５レンズの合成焦点距離
とする。
【請求項７】
以下の条件式を満足する
請求項１に記載の撮像レンズ。
０．４＜｜ｆ６／ｆａ｜＜１．０  ……（６）
ただし、
ｆ６：前記第６レンズの焦点距離
とする。
【請求項８】
前記第１レンズが樹脂材料である
請求項１に記載の撮像レンズ。
【請求項９】
撮像レンズと、前記撮像レンズによって形成された光学像に応じた撮像信号を出力する撮像素子とを含み、
前記撮像レンズは、
物体側より順に、
負の屈折力を有する第１レンズと、
正の屈折力を有する第２レンズと、
負の屈折力を有する第３レンズと、
正または負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像装置。
【発明の詳細な説明】
【技術分野】
【０００１】
本開示は、ＣＣＤ（Charge Coupled Devices）やＣＭＯＳ（Complementary Metal Oxide Semiconductor）などの撮像素子を使用した小型のカメラモジュール、例えば携帯情報端末や携帯電話端末用のカメラモジュールに適した撮像レンズ、およびそのような撮像レンズを用いた撮像装置に関する。
【背景技術】
【０００２】
携帯情報端末や携帯電話端末向けのカメラモジュール用レンズとして、４枚以下のレンズ構成が知られているが、４枚以下のレンズ構成では、例えばＦナンバーが２．０程度以下の明るく高い解像性能を実現することが困難である。そこで、より明るく高い解像性能を実現するために、５枚構成のレンズが開発されている（特許文献１ないし３参照）。
【先行技術文献】
【特許文献】
【０００３】
【特許文献１】特開２００９−２９４５２７号公報
【特許文献２】特開２０１０−２６２２６９号公報
【特許文献３】特開２０１１−２０９５５４号公報
【発明の概要】
【発明が解決しようとする課題】
【０００４】
しかしながら、カメラの広角化、大口径比化にともない、５枚構成のレンズでは収差が補正しきれなくなってきている。例えば現在では特許文献１ないし３などに代表される５枚構成のレンズがあるが、大口径比化にともない収差の補正が間に合わず画面全体に渡って良好な性能を得ることが困難になっている。広角化、大口径比化を進める場合、例えば上記特許文献３で代表されるようなレンズ構成では球面収差、像面湾曲、およびコマ収差の補正が十分に行えない。
【０００５】
本開示の目的は、明るく、広角化が可能な撮像レンズおよび撮像装置を提供することにある。
【課題を解決するための手段】
【０００６】
本開示による撮像レンズは、物体側より順に、負の屈折力を有する第１レンズと、正の屈折力を有する第２レンズと、負の屈折力を有する第３レンズと、正または負の屈折力を有する第４レンズと、正の屈折力を有する第５レンズと、負の屈折力を有する第６レンズとからなる。第６レンズの像側の面は、光軸との交点以外に少なくとも１つの変曲点を有する非球面形状である。
【０００７】
本開示による撮像装置は、撮像レンズと、撮像レンズによって形成された光学像に応じた撮像信号を出力する撮像素子とを備え、撮像レンズを、上記本開示による撮像レンズによって構成したものである。
【０００８】
本開示による撮像レンズまたは撮像装置では、全体として６枚のレンズ構成で、各レンズの構成の最適化が図られている。
【発明の効果】
【０００９】
本開示の撮像レンズまたは撮像装置によれば、全体として６枚のレンズ構成とし、各レンズの構成の最適化を図るようにしたので、明るく、広角化が可能となる。特に、第１レンズとして負レンズを配置することで像面湾曲を良好に補正でき、さらにこれにより他のレンズ面において球面収差、およびコマ収差の補正比率を増やすことが可能になる。また負レンズを先行させることで、レンズの広角化が可能になる。
【図面の簡単な説明】
【００１０】
【図１】本開示の一実施の形態に係る撮像レンズの第１の構成例を示すものであり、数値実施例１に対応するレンズ断面図である。
【図２】撮像レンズの第２の構成例を示すものであり、数値実施例２に対応するレンズ断面図である。
【図３】撮像レンズの第３の構成例を示すものであり、数値実施例３に対応するレンズ断面図である。
【図４】撮像レンズの第４の構成例を示すものであり、数値実施例４に対応するレンズ断面図である。
【図５】撮像レンズの第５の構成例を示すものであり、数値実施例５に対応するレンズ断面図である。
【図６】撮像レンズの第６の構成例を示すものであり、数値実施例６に対応するレンズ断面図である。
【図７】撮像レンズの第７の構成例を示すものであり、数値実施例７に対応するレンズ断面図である。
【図８】撮像レンズの第８の構成例を示すものであり、数値実施例８に対応するレンズ断面図である。
【図９】数値実施例１に対応する撮像レンズの球面収差、非点収差、および歪曲収差を示す収差図である。
【図１０】数値実施例２に対応する撮像レンズの球面収差、非点収差、および歪曲収差を示す収差図である。
【図１１】数値実施例３に対応する撮像レンズの球面収差、非点収差、および歪曲収差を示す収差図である。
【図１２】数値実施例４に対応する撮像レンズの球面収差、非点収差、および歪曲収差を示す収差図である。
【図１３】数値実施例５に対応する撮像レンズの球面収差、非点収差、および歪曲収差を示す収差図である。
【図１４】数値実施例６に対応する撮像レンズの球面収差、非点収差、および歪曲収差を示す収差図である。
【図１５】数値実施例７に対応する撮像レンズの球面収差、非点収差、および歪曲収差を示す収差図である。
【図１６】数値実施例８に対応する撮像レンズの球面収差、非点収差、および歪曲収差を示す収差図である。
【図１７】撮像装置の一構成例を示す正面図である。
【図１８】撮像装置の一構成例を示す背面図である。
【発明を実施するための形態】
【００１１】
以下、本開示の実施の形態について図面を参照して詳細に説明する。なお、説明は以下の順序で行う。
１．レンズの基本構成
２．作用・効果
３．撮像装置への適用例
４．レンズの数値実施例
５．その他の実施の形態
【００１２】
［１．レンズの基本構成］
図１は、本開示の一実施の形態に係る撮像レンズの第１の構成例を示している。この第１の構成例は、後述の数値実施例１のレンズ構成に対応している。同様にして、後述の数値実施例２ないし８のレンズ構成に対応する第２ないし第８の構成例の断面構成を、図２〜図８に示す。図１〜図８において、符号Ｓｉｍｇは像面、Ｚ１は光軸を示す。
【００１３】
本実施の形態に係る撮像レンズは、光軸Ｚ１に沿って物体側より順に、第１レンズＬ１と、第２レンズＬ２と、第３レンズＬ３と、第４レンズＬ４と、第５レンズＬ５と、第６レンズＬ６とが配置された、実質的に６つのレンズで構成されている。
【００１４】
第１レンズＬ１は、負の屈折力を有している。第２レンズＬ２は、正の屈折力を有している。第３レンズＬ３は、負の屈折力を有している。第４レンズＬ４は、正または負の屈折力を有している。第５レンズＬ５は、正の屈折力を有している。第６レンズＬ６は、負の屈折力を有している。第６レンズＬ６は、像側の面が、中心部から周辺部に行くに従い、凹凸形状が途中で変化するような変曲点を有する非球面形状であり、光軸Ｚ１との交点以外に少なくとも１つの変曲点を有している。
【００１５】
その他、本実施の形態に係る撮像レンズは、後述する所定の条件式等を満足することが好ましい。
【００１６】
［２．作用・効果］
次に、本実施の形態に係る撮像レンズの作用および効果を説明する。
【００１７】
この撮像レンズでは、全体として６枚のレンズ構成とし、各レンズの構成の最適化を図るようにしたので、明るく、広角化が可能となる。特に、第１レンズＬ１として負レンズを配置することで像面湾曲を良好に補正でき、さらにこれにより他のレンズ面において球面収差、およびコマ収差の補正比率を増やすことが可能になる。また負レンズを先行させることで、レンズの広角化が可能になる。
【００１８】
また、この撮像レンズでは、レンズ形状を以下のようにすることで、より良好な性能を得ることができる。第１レンズＬ１の像側の面は凹面になることが望ましい。第２レンズＬ２の物体側の面は凸面になることが望ましい。第３レンズＬ３は物体側に凸面を向けたメニスカス形状、もしくは両凹の形状になることが望ましい。第５レンズＬ５の像側の面は凸面になることが望ましい。第１レンズＬ１は樹脂材料であることが望ましい。
【００１９】
（条件式の説明）
本実施の形態に係る撮像レンズでは、以下の条件式を少なくとも１つ、好ましくは２つ以上の条件式を組み合わせて満足するように各レンズの構成の最適化を図ることで、より良好な性能を得ることができる。
【００２０】
｜ν２−ν３｜＞２０  ……（１）
ただし、
ν２：第２レンズＬ２のアッべ数
ν３：第３レンズＬ３のアッべ数
とする。
【００２１】
条件式（１）は、第２レンズＬ２と第３レンズＬ３との適切なアッベ数差を規定するための条件式である。条件式（１）を満足することで、良好に色収差を補正することができる。
なお、さらに良好に色収差を補正するためには、上記条件式（１）の数値範囲を以下の条件式（１）’の通り、設定することが好ましい。
８０＞｜ν２−ν３｜＞２０  ……（１）’
より好ましくは以下の条件式（１）’’の通り、設定すると良い。
８０＞｜ν２−ν３｜＞３０  ……（１）’’
【００２２】
２．２＜｜ｆ１／ｆａ｜  ……（２）
ただし、
ｆａ：全系の焦点距離
ｆ１：第１レンズＬ１の焦点距離
とする。
【００２３】
条件式（２）は、第１レンズＬ１の適切な焦点距離を規定している。条件式（２）の下限を超えて第１レンズＬ１の負のパワーが強くなってしまうと像面湾曲の過補正になってしまい、像面湾曲以外の収差も含めてバランス取りができなくなり、良好な画質は得られない。
なお、好ましくは上記条件式（２）の数値範囲を以下の条件式（２）’の通り、設定すると良い。上限が１００より大きくなると、負レンズとしての役割を十分に成し得ない。
２．２＜｜ｆ１／ｆａ｜＜１００  ……（２）’
【００２４】
０．５＜｜ｆ２／ｆａ｜＜１．１  ……（３）
ただし、
ｆ２：第２レンズＬ２の焦点距離
とする。
【００２５】
条件式（３）は、第２レンズＬ２の適切な焦点距離を規定している。条件式（３）の下限を超えると、第２レンズＬ２のパワーが強くなり過ぎて像面湾曲が物体側に倒れてしまう。条件式（３）の上限を超えると、第２レンズＬ２のパワーが弱くなり過ぎて像面湾曲が像面側に倒れてしまう。
なお、より良好な性能を得るためには、上記条件式（３）の数値範囲を以下の条件式（３）’の通り、設定することが好ましい。
０．５＜｜ｆ２／ｆａ｜＜０．８  ……（３）’
【００２６】
１．０＜｜ｆ３／ｆａ｜＜２．０  ……（４）
ただし、
ｆ３：第３レンズＬ３の焦点距離
とする。
【００２７】
条件式（４）は、第３レンズＬ３の適切な焦点距離を規定している。条件式（４）の下限を超えると、第３レンズＬ３のパワーが強くなり過ぎて像面湾曲が像面側に倒れてしまう。条件式（４）の上限を超えると、第３レンズＬ３のパワーが弱くなり過ぎて像面湾曲が物体側に倒れてしまう。
【００２８】
０．４＜｜ｆ345／ｆａ｜＜２．２  ……（５）
ただし、
ｆ345：第３レンズＬ３、第４レンズＬ４および第５レンズＬ５の合成焦点距離
とする。
【００２９】
条件式（５）は、第３レンズＬ３、第４レンズＬ４および第５レンズＬ５の適切な合成焦点距離を規定している。条件式（５）の上限または下限を超えると、球面収差、像面湾曲、およびコマ収差のそれぞれのバランスが取れず、良好な収差の補正効果を得られない。
なお、より良好な性能を得るためには、上記条件式（５）の数値範囲を以下の条件式（５）’の通り、設定することが好ましい。
０．８＜｜ｆ345／ｆａ｜＜２．０  ……（５）’
【００３０】
０．４＜｜ｆ６／ｆａ｜＜１．０  ……（６）
ただし、
ｆ６：第６レンズＬ６の焦点距離
とする。
【００３１】
条件式（６）は、第６レンズＬ６の適切な焦点距離を規定している。条件式（６）の下限を超えると、全系の焦点距離が長くなり広角化に不利になる。一方で上限を超えてしまうと広角化には有利だが、像面湾曲の補正が困難になり、また必要なフランジバック量を確保することが難しくなってしまう。
【００３２】
［３．撮像装置への適用例］
図１７および図１８は、本実施の形態に係る撮像レンズを適用した撮像装置の一構成例を示している。この構成例は、撮像装置を備えた携帯端末機器（例えば携帯情報端末や携帯電話端末）の一例である。この携帯端末機器は、略長方形状の筐体２０１を備えている。筐体２０１の前面側（図１７）には表示部２０２やフロントカメラ部２０３が設けられている。筐体２０１の背面側（図１８）には、メインカメラ部２０４やカメラフラッシュ２０５が設けられている。
【００３３】
表示部２０２は、例えば表面への接触状態を検知することによって各種の操作を可能にするタッチパネルとなっている。これにより、表示部２０２は、各種の情報を表示する機能とユーザによる各種の入力操作を可能にする入力機能とを有している。表示部２０２は、操作状態や、フロントカメラ部２０３またはメインカメラ部２０４で撮影した画像等の各種のデータを表示する。
【００３４】
本実施の形態に係る撮像レンズは、例えば図１７および図１８に示したような携帯端末機器における撮像装置（フロントカメラ部２０３またはメインカメラ部２０４）のカメラモジュール用レンズとして適用可能である。このようなカメラモジュール用レンズとして用いる場合、撮像レンズの像面Ｓｉｍｇ付近に、撮像レンズによって形成された光学像に応じた撮像信号（画像信号）を出力するＣＣＤ（Charge Coupled Devices）やＣＭＯＳ（Complementary Metal Oxide Semiconductor）等の撮像素子が配置される。この場合、図１に示したように、第６レンズＬ６と像面Ｓｉｍｇとの間には、撮像素子保護用のシールガラスＳＧや各種の光学フィルタ等の光学部材が配置されていても良い。
【００３５】
なお、本実施の形態に係る撮像レンズは、上記した携帯端末機器に限らず、その他の電子機器、例えばデジタルスチルカメラやデジタルビデオカメラ用の撮像レンズとしても適用可能である。その他、ＣＣＤやＣＭＯＳなどの固体撮像素子を使用した小型の撮像装置全般、例えば光センサー、携帯用モジュールカメラ、およびＷＥＢカメラなどに適用可能である。
【実施例】
【００３６】
＜４．レンズの数値実施例＞
次に、本実施の形態に係る撮像レンズの具体的な数値実施例について説明する。
なお、以下の各表や説明において示した記号の意味等については、下記に示す通りである。「Ｒ」は、最も物体側の構成要素の面を１番目として、像側に向かうに従い順次増加するようにして符号を付したｉ番目の面の近軸の曲率半径の値（ｍｍ）を示す。「Ｄ」はｉ番目の面とｉ＋１番目の面との間の光軸上の間隔の値（ｍｍ）を示す。「Ｎ」はｉ番目の面を有する光学要素の材質のｄ線（波長５８７．６ｎｍ）における屈折率の値を示す。「ν」はｉ番目の面を有する光学要素の材質のｄ線におけるアッベ数の値を示す。曲率半径が「ＩＮＦ」である面は平面または絞り面であることを示す。ＦＮＯはＦナンバーを示す。
【００３７】
各実施例において、非球面の形状は次式で表される。非球面係数のデータにおいて、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０５」であれば、「１．０×１０-5」であることを示す。
【００３８】
（非球面の式）
Ｚ＝（Ｙ2／Ｒ）／［１＋｛１−（１＋Ｋ）（Ｙ2／Ｒ2）｝1/2］＋ΣＡｉ・Ｙi
ただし、
Ｚ：非球面の深さ
Ｙ：光軸からの高さ
Ｒ：近軸曲率半径
Ｋ：円錐定数（コーニック係数）
Ａｉ：第ｉ次（ｉは３以上の整数）の非球面係数
とする。
【００３９】
（各数値実施例に共通の構成）
以下の各数値実施例に係る撮像レンズはいずれも、上記したレンズの基本構成を満足した構成となっている。また、各数値実施例に係る撮像レンズはいずれも、第１レンズＬ１ないし第６レンズＬ６の各レンズ面が非球面となっている。第６レンズＬ６と像面Ｓｉｍｇとの間にはシールガラスＳＧが配置されている。
【００４０】
［数値実施例１］
［表１］〜［表７］は、図１に示した第１の構成例に係る撮像レンズに対応する具体的なレンズデータを示している。特に［表１］にはその基本的なレンズデータを示し、［表２］〜［表７］には非球面に関するデータを示す。［表１］にはまた、Ｆナンバーと半画角の値も示す。
【００４１】
この第１の構成例では、第４レンズＬ４は負の屈折力を有している。開口絞りＳｔは第１レンズＬ１と第２レンズＬ２との間に配置されている。第１レンズＬ１は樹脂材料となっている。
【００４２】
【表１】
2014044250.tif 000003
【００４３】
【表２】
2014044250.tif 000004
【００４４】
【表３】
2014044250.tif 000005
【００４５】
【表４】
2014044250.tif 000006
【００４６】
【表５】
2014044250.tif 000007
【００４７】
【表６】
2014044250.tif 000008
【００４８】
【表７】
2014044250.tif 000009
【００４９】
［数値実施例２］
［表８］〜［表１４］は、図２に示した第２の構成例に係る撮像レンズに対応する具体的なレンズデータを示している。特に［表８］にはその基本的なレンズデータを示し、［表９］〜［表１４］には非球面に関するデータを示す。［表８］にはまた、Ｆナンバーと半画角の値も示す。
【００５０】
この第２の構成例では、第４レンズＬ４は負の屈折力を有している。開口絞りＳｔは第１レンズＬ１と第２レンズＬ２との間に配置されている。第１レンズＬ１は樹脂材料となっている。
【００５１】
【表８】
2014044250.tif 000010
【００５２】
【表９】
2014044250.tif 000011
【００５３】
【表１０】
2014044250.tif 000012
【００５４】
【表１１】
2014044250.tif 000013
【００５５】
【表１２】
2014044250.tif 000014
【００５６】
【表１３】
2014044250.tif 000015
【００５７】
【表１４】
2014044250.tif 000016
【００５８】
［数値実施例３］
［表１５］〜［表２１］は、図３に示した第３の構成例に係る撮像レンズに対応する具体的なレンズデータを示している。特に［表１５］にはその基本的なレンズデータを示し、［表１６］〜［表２１］には非球面に関するデータを示す。［表１５］にはまた、Ｆナンバーと半画角の値も示す。
【００５９】
この第３の構成例では、第４レンズＬ４は正の屈折力を有している。開口絞りＳｔは第１レンズＬ１と第２レンズＬ２との間に配置されている。第１レンズＬ１は樹脂材料となっている。
【００６０】
【表１５】
2014044250.tif 000017
【００６１】
【表１６】
2014044250.tif 000018
【００６２】
【表１７】
2014044250.tif 000019
【００６３】
【表１８】
2014044250.tif 000020
【００６４】
【表１９】
2014044250.tif 000021
【００６５】
【表２０】
2014044250.tif 000022
【００６６】
【表２１】
2014044250.tif 000023
【００６７】
［数値実施例４］
［表２２］〜［表２８］は、図４に示した第４の構成例に係る撮像レンズに対応する具体的なレンズデータを示している。特に［表２２］にはその基本的なレンズデータを示し、［表２３］〜［表２８］には非球面に関するデータを示す。［表２２］にはまた、Ｆナンバーと半画角の値も示す。
【００６８】
この第４の構成例では、第４レンズＬ４は正の屈折力を有している。開口絞りＳｔは第１レンズＬ１と第２レンズＬ２との間に配置されている。第１レンズＬ１は樹脂材料となっている。
【００６９】
【表２２】
2014044250.tif 000024
【００７０】
【表２３】
2014044250.tif 000025
【００７１】
【表２４】
2014044250.tif 000026
【００７２】
【表２５】
2014044250.tif 000027
【００７３】
【表２６】
2014044250.tif 000028
【００７４】
【表２７】
2014044250.tif 000029
【００７５】
【表２８】
2014044250.tif 000030
【００７６】
［数値実施例５］
［表２９］〜［表３５］は、図５に示した第５の構成例に係る撮像レンズに対応する具体的なレンズデータを示している。特に［表２９］にはその基本的なレンズデータを示し、［表３０］〜［表３５］には非球面に関するデータを示す。［表２９］にはまた、Ｆナンバーと半画角の値も示す。
【００７７】
この第５の構成例では、第４レンズＬ４は負の屈折力を有している。開口絞りＳｔは第１レンズＬ１と第２レンズＬ２との間に配置されている。第１レンズＬ１は樹脂材料となっている。
【００７８】
【表２９】
2014044250.tif 000031
【００７９】
【表３０】
2014044250.tif 000032
【００８０】
【表３１】
2014044250.tif 000033
【００８１】
【表３２】
2014044250.tif 000034
【００８２】
【表３３】
2014044250.tif 000035
【００８３】
【表３４】
2014044250.tif 000036
【００８４】
【表３５】
2014044250.tif 000037
【００８５】
［数値実施例６］
［表３６］〜［表４２］は、図６に示した第６の構成例に係る撮像レンズに対応する具体的なレンズデータを示している。特に［表３６］にはその基本的なレンズデータを示し、［表３７］〜［表４２］には非球面に関するデータを示す。［表３６］にはまた、Ｆナンバーと半画角の値も示す。
【００８６】
この第６の構成例では、第４レンズＬ４は負の屈折力を有している。開口絞りＳｔは第１レンズＬ１と第２レンズＬ２との間に配置されている。第１レンズＬ１は樹脂材料となっている。
【００８７】
【表３６】
2014044250.tif 000038
【００８８】
【表３７】
2014044250.tif 000039
【００８９】
【表３８】
2014044250.tif 000040
【００９０】
【表３９】
2014044250.tif 000041
【００９１】
【表４０】
2014044250.tif 000042
【００９２】
【表４１】
2014044250.tif 000043
【００９３】
【表４２】
2014044250.tif 000044
【００９４】
［数値実施例７］
［表４３］〜［表４９］は、図７に示した第７の構成例に係る撮像レンズに対応する具体的なレンズデータを示している。特に［表４３］にはその基本的なレンズデータを示し、［表４４］〜［表４９］には非球面に関するデータを示す。［表４３］にはまた、Ｆナンバーと半画角の値も示す。
【００９５】
この第７の構成例では、第４レンズＬ４は正の屈折力を有している。開口絞りＳｔは第１レンズＬ１と第２レンズＬ２との間に配置されている。第１レンズＬ１は樹脂材料となっている。
【００９６】
【表４３】
2014044250.tif 000045
【００９７】
【表４４】
2014044250.tif 000046
【００９８】
【表４５】
2014044250.tif 000047
【００９９】
【表４６】
2014044250.tif 000048
【０１００】
【表４７】
2014044250.tif 000049
【０１０１】
【表４８】
2014044250.tif 000050
【０１０２】
【表４９】
2014044250.tif 000051
【０１０３】
［数値実施例８］
［表５０］〜［表５６］は、図８に示した第８の構成例に係る撮像レンズに対応する具体的なレンズデータを示している。特に［表５０］にはその基本的なレンズデータを示し、［表５１］〜［表５６］には非球面に関するデータを示す。［表５０］にはまた、Ｆナンバーと半画角の値も示す。
【０１０４】
この第８の構成例では、第４レンズＬ４は負の屈折力を有している。開口絞りＳｔは第１レンズＬ１と第２レンズＬ２との間に配置されている。第１レンズＬ１は樹脂材料となっている。
【０１０５】
【表５０】
2014044250.tif 000052
【０１０６】
【表５１】
2014044250.tif 000053
【０１０７】
【表５２】
2014044250.tif 000054
【０１０８】
【表５３】
2014044250.tif 000055
【０１０９】
【表５４】
2014044250.tif 000056
【０１１０】
【表５５】
2014044250.tif 000057
【０１１１】
【表５６】
2014044250.tif 000058
【０１１２】
［各実施例のその他の数値データ］
［表５７］には、上述の各条件式に関する値を、各数値実施例についてまとめたものを示す。［表５７］から分かるように、各条件式について、各数値実施例の値がその数値範囲内となっている。
【０１１３】
【表５７】
2014044250.tif 000059
【０１１４】
［収差性能］
図９〜図１６に、各数値実施例の収差性能を示す。これらの各図には収差図として、球面収差、非点収差、およびディストーション（歪曲収差）を示す。非点収差図において、Ｓはサジタル方向、Ｔはメリディオナル（タンジェンシャル）方向の収差を示す。
【０１１５】
以上の各収差図から分かるように、各実施例について、良好に収差補正された撮像レンズを実現できている。
【０１１６】
＜５．その他の実施の形態＞
本開示による技術は、上記実施の形態および実施例の説明に限定されず種々の変形実施が可能である。
例えば、上記各数値実施例において示した各部の形状および数値は、いずれも本技術を実施するための具体化のほんの一例に過ぎず、これらによって本技術の技術的範囲が限定的に解釈されることがあってはならないものである。
【０１１７】
また、上記実施の形態および実施例では、実質的に６つのレンズからなる構成について説明したが、実質的に屈折力を有さないレンズをさらに備えた構成であっても良い。
【０１１８】
また例えば、本技術は以下のような構成を取ることができる。
［１］
物体側より順に、
負の屈折力を有する第１レンズと、
正の屈折力を有する第２レンズと、
負の屈折力を有する第３レンズと、
正または負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像レンズ。
［２］
以下の条件式を満足する
上記［１］に記載の撮像レンズ。
｜ν２−ν３｜＞２０  ……（１）
ただし、
ν２：前記第２レンズのアッべ数
ν３：前記第３レンズのアッべ数
とする。
［３］
以下の条件式を満足する
上記［１］または［２］に記載の撮像レンズ。
２．２＜｜ｆ１／ｆａ｜  ……（２）
ただし、
ｆａ：全系の焦点距離
ｆ１：前記第１レンズの焦点距離
とする。
［４］
以下の条件式を満足する
上記［１］ないし［３］のいずれか１つに記載の撮像レンズ。
０．５＜｜ｆ２／ｆａ｜＜１．１  ……（３）
ただし、
ｆ２：前記第２レンズの焦点距離
とする。
［５］
以下の条件式を満足する
上記［１］ないし［４］のいずれか１つに記載の撮像レンズ。
１．０＜｜ｆ３／ｆａ｜＜２．０  ……（４）
ただし、
ｆ３：前記第３レンズの焦点距離
とする。
［６］
以下の条件式を満足する
上記［１］ないし［５］のいずれか１つに記載の撮像レンズ。
０．４＜｜ｆ345／ｆａ｜＜２．２  ……（５）
ただし、
ｆ345：前記第３レンズ、前記第４レンズおよび前記第５レンズの合成焦点距離
とする。
［７］
以下の条件式を満足する
上記［１］ないし［６］のいずれか１つに記載の撮像レンズ。
０．４＜｜ｆ６／ｆａ｜＜１．０  ……（６）
ただし、
ｆ６：前記第６レンズの焦点距離
とする。
［８］
前記第１レンズが樹脂材料である
上記［１］ないし［７］のいずれか１つに記載の撮像レンズ。
［９］
実質的に屈折力を有さないレンズをさらに備えた
上記［１］ないし［８］のいずれか１つに記載の撮像レンズ。
［１０］
撮像レンズと、前記撮像レンズによって形成された光学像に応じた撮像信号を出力する撮像素子とを含み、
前記撮像レンズは、
物体側より順に、
負の屈折力を有する第１レンズと、
正の屈折力を有する第２レンズと、
負の屈折力を有する第３レンズと、
正または負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像装置。
［１１］
前記撮像レンズは、実質的に屈折力を有さないレンズをさらに備える
上記［１０］に記載の撮像装置。
【符号の説明】
【０１１９】
Ｌ１…第１レンズ、Ｌ２…第２レンズ、Ｌ３…第３レンズ、Ｌ４…第４レンズ、Ｌ５…第５レンズ、Ｌ６…第６レンズ、ＳＧ…シールガラス、Ｓｔ…開口絞り、Ｓｉｍｇ…像面（撮像素子）、Ｚ１…光軸、２０１…筐体、２０２…表示部、２０３…フロントカメラ部、２０４…メインカメラ部、２０５…カメラフラッシュ。
【図１】
2014044250.tif 000060
【図２】
2014044250.tif 000061
【図３】
2014044250.tif 000062
【図４】
2014044250.tif 000063
【図５】
2014044250.tif 000064
【図６】
2014044250.tif 000065
【図７】
2014044250.tif 000066
【図８】
2014044250.tif 000067
【図９】
2014044250.tif 000068
【図１０】
2014044250.tif 000069
【図１１】
2014044250.tif 000070
【図１２】
2014044250.tif 000071
【図１３】
2014044250.tif 000072
【図１４】
2014044250.tif 000073
【図１５】
2014044250.tif 000074
【図１６】
2014044250.tif 000075
【図１７】
2014044250.tif 000076
【図１８】
2014044250.tif 000077